(57)【要約】  容量が定格容量よりも小さくなりにくい構造を有する積層型全固体電池を提供する。  複数の第１の内部電極（１１）は、第１−１の内部電極（１１ａ）と、第１−２の内部電極（１１ｂ）を含む。第１−１の内部電極（１１ａ）は、第１の稜線部（１０１）に露出している。第１−２の内部電極（１１ｂ）は、第１の端面（１０ｅ）に露出している。第１−１の内部電極（１１ａ）のうち、最も第１の主面（１０ａ）側に位置している内部電極の第２の端面（１０ｆ）側端部が、第１−２の内部電極（１１ｂ）の第２の端面（１０ｆ）側端部よりも第１の端面（１０ｅ）側に位置している。
2019093215.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面と、前記第１の主面と前記第１の端面とにより構成されて丸められた形状を有する第１の稜線部と、前記第１の主面と前記第２の端面とにより構成されて丸められた形状を有する第２の稜線部と、前記第２の主面と前記第１の端面とにより構成されて丸められた形状を有する第３の稜線部と、前記第２の主面と前記第２の端面とにより構成されて丸められた形状を有する第４の稜線部とを有し、固体電解質を含む電池本体と、
前記第１の端面側から前記第２の端面側に向かって延びる複数の第１の内部電極と、  前記第２の端面側から前記第１の端面側に向かって延び、厚み方向において前記第１の内部電極と対向する複数の第２の内部電極と、
前記第１の端面、前記第１の稜線部及び前記第３の稜線部を覆い、前記複数の第１の内部電極に接続された第１の外部電極と、
前記第２の端面、前記第２の稜線部及び前記第４の稜線部を覆い、前記複数の第２の内部電極に接続された第２の外部電極と、
を備え、
前記複数の第１の内部電極は、
前記第１の稜線部に露出している第１−１の内部電極と、
前記第１の端面に露出している第１−２の内部電極と、
を含み、
前記第１−１の内部電極のうち、最も前記第１の主面側に位置している内部電極の前記第２の端面側端部が、前記第１−２の内部電極の前記第２の端面側端部よりも前記第１の端面側に位置している、積層型全固体電池。
【請求項２】
複数の前記第１−１の内部電極のそれぞれの前記第２の端面側端部が、前記第１−２の内部電極の前記第２の端面側端部よりも前記第１の端面側に位置している、請求項１に記載の積層型全固体電池。
【請求項３】
前記複数の第１の内部電極は、前記第３の稜線部に露出している第１−３の内部電極をさらに含み、
前記第１−３の内部電極のうち、最も前記第２の主面側に位置している内部電極の前記第２の端面側端部が、前記第１−２の内部電極の前記第２の端面側端部よりも前記第１の端面側に位置している、請求項１又は２に記載の積層型全固体電池。
【請求項４】
複数の前記第１−３の内部電極のそれぞれの前記第２の端面側端部が、前記第１−２の内部電極の前記第２の端面側端部よりも前記第１の端面側に位置している、請求項３に記載の積層型全固体電池。
【請求項５】
前記複数の第２の内部電極は、
前記第２の稜線部に露出している第２−１の内部電極と、
前記第２の端面に露出している第２−２の内部電極と、
を含み、
前記第２−１の内部電極のうち、最も前記第１の主面側に位置している内部電極の前記第１の端面側端部が、前記第２−２の内部電極の前記第１の端面側端部よりも前記第２の端面側に位置している、請求項１〜４のいずれか一項に記載の積層型全固体電池。
【請求項６】
複数の前記第２−１の内部電極のそれぞれの前記第１の端面側端部が、前記第２−２の内部電極の前記第１の端面側端部よりも前記第２の端面側に位置している、請求項５に記載の積層型全固体電池。
【請求項７】
前記複数の第２の内部電極は、前記第４の稜線部に露出している第２−３の内部電極をさらに含み、
前記第２−３の内部電極のうち、最も前記第２の主面側に位置している内部電極の前記第１の端面側端部が、前記第２−２の内部電極の前記第１の端面側端部よりも前記第２の端面側に位置している、１〜６のいずれか一項に記載の積層型全固体電池。
【請求項８】
複数の前記第２−３の内部電極のそれぞれの前記第１の端面側端部が、前記第２−２の内部電極の前記第１の端面側端部よりも前記第２の端面側に位置している、請求項７に記載の積層型全固体電池。
【発明の詳細な説明】
【技術分野】
【０００１】
本発明は、積層型全固体電池に関する。
【背景技術】
【０００２】
従来、電解液を使用しない、固体電解質を用いた全固体電池が知られている。全固体電池は、電解液を使用しないため、電解液の漏洩が生じず、また、高温雰囲気下でも作動する。このため、全固体電池に対する注目が高まってきている。
【先行技術文献】
【特許文献】
【０００３】
【特許文献１】特開２００７−２６６０３４号公報
【発明の概要】
【０００４】
例えば、高容量な全固体電池を実現する観点から、特許文献１に記載されている積層型セラミック電子部品のように、正極、固体電解質層及び負極からなるエレメントを積層し、積層型全固体電池とすることも考えられる。また、特許文献１に記載されている積層型セラミック電子部品のように、積層型全固体電池の稜線部や角部に割れや欠けが発生することを抑制するために、稜線部や角部を丸められた形状にすることも考えられる。
【０００５】
しかしながら、本発明者は、鋭意研究の結果、稜線部を丸められた形状にした積層型全固体電池では、容量が定格容量よりも小さくなる場合があることを見出した。
【０００６】
本発明の主な課題は、容量が定格容量よりも小さくなりにくい構造を有する積層型全固体電池を提供することにある。
【０００７】
本発明に係る全固体電池は、電池本体と、複数の第１の内部電極と、複数の第２の内部電極と、第１の外部電極と、第２の外部電極とを備えている。電池本体は、第１及び第２の主面と、第１及び第２の側面と、第１及び第２の端面と、第１の稜線部と、第２の稜線部と、第３の稜線部と、第４の稜線部とを有する。第１及び第２の主面は、長さ方向及び幅方向に沿って延びている。第１及び第２の側面は、長さ方向及び厚み方向に沿って延びている。第１及び第２の端面は、幅方向及び厚み方向に沿って延びている。第１の稜線部は、第１の主面と第１の端面とにより構成されている。第１の稜線部は、丸められた形状を有する。第２の稜線部は、第１の主面と第２の端面とにより構成されている。第２の稜線部は、丸められた形状を有する。第３の稜線部は、第２の主面と第１の端面とにより構成されている。第３の稜線部は、丸められた形状を有する。第４の稜線部は、第２の主面と第２の端面とにより構成されている。第４の稜線部は、丸められた形状を有する。電池本体は、固体電解質を含む。複数の第１の内部電極は、第１の端面側から第２の端面側に向かって延びている。複数の第２の内部電極は、第２の端面側から第１の端面側に向かって延びている。複数の第２の内部電極は、厚み方向において第１の内部電極と対向している。第１の外部電極は、第１の端面、第１の稜線部及び第３の稜線部を覆っている。第１の外部電極は、複数の第１の内部電極に接続されている。第２の外部電極は、第２の端面、第２の稜線部及び第４の稜線部を覆っている。第２の外部電極は、複数の第２の内部電極に接続されている。複数の第１の内部電極は、第１−１の内部電極と、第１−２の内部電極を含む。第１−１の内部電極は、第１の稜線部に露出している。第１−２の内部電極は、第１の端面に露出している。第１−１の内部電極のうち、最も第１の主面側に位置している内部電極の第２の端面側端部が、第１−２の内部電極の第２の端面側端部よりも第１の端面側に位置している。
【図面の簡単な説明】
【０００８】
【図１】本発明の一実施形態に係る積層型全固体電池の模式的斜視図である。
【図２】図１の線ＩＩ−ＩＩにおける模式的断面図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
図１は、本実施形態に係る積層型全固体電池の模式的斜視図である。図２は、図１の線ＩＩ−ＩＩにおける模式的断面図である。なお、図２においては、電池本体１０のハッチングを省略している。
【００１１】
（電池本体１０）
図１及び図２に示す積層型全固体電池１は、電池本体１０を備えている。電池本体１０は、略直方体状である。電池本体１０は、第１の主面１０ａ、第２の主面１０ｂ、第１の側面１０ｃ、第２の側面１０ｄ、第１の端面１０ｅ及び第２の端面１０ｆを有している。第１及び第２の主面１０ａ、１０ｂは、それぞれ、長さ方向Ｌ及び幅方向Ｗに沿って延びている。第１及び第２の側面１０ｃ、１０ｄは、それぞれ、長さ方向Ｌ及び厚み方向Ｔに沿って延びている。第１及び第２の端面１０ｅ、１０ｆは、それぞれ、幅方向Ｗ及び厚み方向Ｔに沿って延びている。
【００１２】
図２に示すように、第１の主面１０ａと第１の端面１０ｅとにより構成された第１の稜線部１０１は、丸められた形状（Ｒ面取り形状）を有する。第１の主面１０ａと第２の端面１０ｆとにより構成された第２の稜線部１０２は、丸められた形状を有する。第２の主面１０ｂと第１の端面１０ｅとにより構成された第３の稜線部１０３は、丸められた形状を有する。第２の主面１０ｂと第２の端面１０ｆとにより構成された第４の稜線部１０４は、丸められた形状を有する。具体的には、本実施形態の電池本体１０の全ての稜線部及び全ての角部が、丸められた形状（Ｒ面取り形状）を有している。
【００１３】
電池本体１０は、固体電解質を含む。電池本体１０に含まれる固体電解質は、特に限定されない。好ましく用いられる固体電解質の例としては、例えば、ガーネット型構造を有する固体電解質やＬＩＳＩＣＯＮ型構造を有する固体電解質が挙げられる。ガーネット型構造を有する固体電解質としては、例えば、組成式（Ｌｉ［７−ａｘ−（ｂ−４）ｙ］Ａｘ）Ｌａ３Ｚｒ（２−ｙ）ＢｙＯ１２（Ａは、Ｇａ、Ａｌ、Ｍｇ、Ｚｎ及びＳｃからなる群から選ばれた少なくとも１種の元素であり、Ｂは、Ｎｂ、Ｔａ、Ｗ、Ｔｅ、Ｍｏ及びＢｉからなる群から選ばれた少なくとも１種の元素であり、０≦ｘ≦０．５、０≦ｙ≦２．０、ａはＡの平均価数であり、ｂはＢの平均価数である。）で表される固体電解質等が挙げられる。ＬＩＳＩＣＯＮ型構造を有する固体電解質としては。例えば、組成式（Ｌｉ［３−ａｘ＋（５−ｂ）］Ａｘ）ＭＯ４（Ａは、Ｍｇ、Ａｌ、Ｇａ及びＺｎからなる群から選ばれた少なくとも１種の元素であり、Ｍは、Ｚｎ、Ａｌ、Ｇａ、Ｓｉ、Ｇｅ、Ｔｉ、Ｐ及びＶからなる群から選ばれた少なくとも１種の元素であり、０≦ｘ≦１．０、ａはＡの平均価数であり、ｂはＭの平均価数である。）で表される固体電解質等が挙げられる。
【００１４】
（内部電極１１、１２及び外部電極１３、１４）
電池本体１０の内部には、複数の第１の内部電極１１と、複数の第２の内部電極１２とが設けられている。第１の内部電極１１と、第２の内部電極１２とのうちの一方が正極を構成しており、他方が負極を構成している。第１の内部電極１１と、第２の内部電極１２とは、電池本体１０により構成された固体電解質層１０Ａを介して対向している。
【００１５】
複数の第１の内部電極１１は、それぞれ、第１の端面１０ｅ側（Ｌ１側）から第２の端面１０ｆ側（Ｌ２側）に向かって延びている。複数の第１の内部電極１１は、第１の端面１０ｅ、第１の稜線部１０１又は第３の稜線部１０３に露出している。複数の第１の内部電極１１は、第２の端面１０ｆ、第２の稜線部１０２及び第４の稜線部１０４には露出していない。複数の第１の内部電極１１は、第１の稜線部１０１に露出している第１−１の内部電極１１ａと、第１の端面１０ｅに露出している第１−２の内部電極１１ｂと、第３の稜線部１０３に露出している第１−３の内部電極１１ｃとを含んでいる。本実施形態では、第１−１の内部電極１１ａと、第１−２の内部電極１１ｂと、第１−３の内部電極１１ｃとは、それぞれ、複数設けられている。
【００１６】
複数の第１の内部電極１１は、それぞれ、第１の外部電極１３に接続されている。第１の外部電極１３は、第１の端面１０ｅ、第１の稜線部１０１及び第３の稜線部１０３を覆うように設けられている。具体的には、本実施形態では、第１の外部電極１３は、電池本体１０の第１の端面１０ｅと、第１及び第２の主面１０ａ、１０ｂ並びに第１及び第２の側面１０ｃ、１０ｄの第１の端面１０ｅ側（Ｌ１側）部分とを覆うように設けられている。
【００１７】
複数の第２の内部電極１２は、それぞれ、第２の端面１０ｆ側（Ｌ２側）から第１の端面１０ｅ側（Ｌ１側）に向かって延びている。複数の第２の内部電極１２は、第２の端面１０ｆ、第２の稜線部１０２又は第４の稜線部１０４に露出している。複数の第２の内部電極１２は、第１の端面１０ｅ、第１の稜線部１０１及び第３の稜線部１０３には露出していない。複数の第２の内部電極１２は、第２の稜線部１０２に露出している第２−１の内部電極１２ａと、第２の端面１０ｆに露出している第２−２の内部電極１２ｂと、第４の稜線部１０４に露出している第２−３の内部電極１２ｃとを含んでいる。本実施形態では、第２−１の内部電極１２ａと、第２−２の内部電極１２ｂと、第２−３の内部電極１２ｃとは、それぞれ、複数設けられている。
【００１８】
複数の第２の内部電極１２は、それぞれ、第２の外部電極１４に接続されている。第２の外部電極１４は、第２の端面１０ｆ、第２の稜線部１０２及び第４の稜線部１０４を覆うように設けられている。具体的には、本実施形態では、第２の外部電極１４は、電池本体１０の第２の端面１０ｆと、第１及び第２の主面１０ａ、１０ｂ並びに第１及び第２の側面１０ｃ、１０ｄの第２の端面１０ｆ側（Ｌ２側）部分とを覆うように設けられている。
【００１９】
（積層型全固体電池１の製造方法）
次に、積層型全固体電池１の製造方法の一例について説明する。
【００２０】
固体電解質、バインダ樹脂、有機溶剤等を混合・粉砕し、固体電解質スラリーを調製する。固体電解質スラリーをベースフィルム上に塗布し、乾燥させることにより、固体電解質用グリーンシートを作製する。
【００２１】
正極活物質、導電材、固体電解質、有機溶剤等を混合・粉砕し、正極スラリーを調製する。正極スラリーをベースフィルム上に塗布し、乾燥させることにより、正極用グリーンシートを作製する。
【００２２】
負極活物質、導電材、固体電解質、有機溶剤等を混合・粉砕し、負極スラリーを調製する。負極スラリーをベースフィルム上に塗布し、乾燥させることにより、負極用グリーンシートを作製する。
【００２３】
次に、正極用グリーンシート、負極用グリーンシートの表面に内部電極を所定の形状に印刷する。
【００２４】
次に、固体電解質用グリーンシート、正極用グリーンシート、負極用グリーンシートを適宜積層し、直方体状の積層体を作製する。必要に応じて、積層体を、プレスしてもよい。
【００２５】
次に、積層体をバレル研磨等することにより、角部及び稜線部を丸められた形状に加工する。
【００２６】
次に、角部及び稜線部が丸められた形状を有する積層体を焼成することにより積層型全固体電池１を完成させることができる。なお、バレル研磨等の処理は、例えば、焼成後に行ってもよい。
【００２７】
本発明者は、鋭意研究の結果、上述のようにバレル研磨等をすることにより稜線部が丸められた形状を有する積層型全固体電池では、容量が定格容量よりも小さくなることがあることを見出した。本発明者らは、さらに鋭意研究の結果、その原因が、稜線部が丸められることにより、第１の端面側の稜線部に露出している第１の内部電極が第２の端面側の稜線部にも露出したり、第２の端面側の稜線部に露出している第２の内部電極が第１の端面側の稜線部にも露出することにより、第１の外部電極と第２の外部電極との間で短絡が発生していることにあることを見出した。
【００２８】
本実施形態に係る積層型全固体電池１では、第１−１の内部電極１１ａのうち、最も第１の主面１０ａ側に位置している内部電極の第２の端面１０ｆ側の端部が、第１−２の内部電極１１ｂの第２の端面１０ｆ側の端部よりも第１の端面１０ｅ側に位置している。第１−３の内部電極１１ｃのうち、最も第２の主面１０ｂ側に位置している内部電極の第２の端面１０ｆ側の端部が、第１−２の内部電極１１ｂの第２の端面１０ｆ側の端部よりも第１の端面１０ｅ側に位置している。第２−１の内部電極１２ａのうち、最も第１の主面１０ａ側に位置している内部電極の第１の端面１０ｅ側の端部が、第２−２の内部電極１２ｂの第１の端面１０ｅ側の端部よりも第２の端面１０ｆ側に位置している。第２−３の内部電極１２ｃのうち、最も第２の主面１０ｂ側に位置している内部電極の第１の端面１０ｅ側の端部が、第２−２の内部電極１２ｂの第１の端面１０ｅ側の端部よりも第２の端面１０ｆ側に位置している。このため、第１及び第３の稜線部１０１、１０３が丸められた形状である場合であっても第１の稜線部１０１及び第３の稜線部１０３の両方に露出する第１−１の内部電極１１ａや第２−１の内部電極１２ａが生じ難い。第２及び第４の稜線部１０２、１０４が丸められた形状である場合であっても第２の稜線部１０２及び第４の稜線部１０４の両方に露出する第１−３の内部電極１１ｃや第２−３の内部電極１２ｃが生じ難い。従って、第１の外部電極１３と第２の外部電極１４との間で短絡が生じ難い。よって、本実施形態の積層型全固体電池１は、容量が定格容量よりも小さくなりにくい構造を有している。
【００２９】
容量が定格容量よりも小さくなることをより効果的に抑制する観点からは、全ての第１−１の内部電極１１ａのそれぞれの第２の端面１０ｆ側の端部が第１−２の内部電極１１ｂの第２の端面１０ｆ側の端部よりも第１の端面１０ｅ側に位置していることが好ましい。全ての第１−３の内部電極１１ｃのそれぞれの第２の端面１０ｆ側の端部が、第１−２の内部電極１１ｂの第２の端面１０ｆ側の端部よりも第１の端面１０ｅ側に位置していることが好ましい。全ての第２−１の内部電極１２ａのそれぞれの第１の端面１０ｅ側の端部が、第２−２の内部電極１２ｂの第１の端面１０ｅ側の端部よりも第２の端面１０ｆ側に位置していることが好ましい。全ての第２−３の内部電極１２ｃのそれぞれの第１の端面１０ｅ側の端部が、第２−２の内部電極１２ｂの第１の端面１０ｅ側の端部よりも第２の端面１０ｆ側に位置していることが好ましい。
【００３０】
第１−１の内部電極１１ａの長さは、第１−２の内部電極１１ｂより短いことが好ましい。第１−１の内部電極１１ａは、第１−１の内部電極１１ａと第１の稜線部１０１との間の距離と、第１−２の内部電極１１ｂと第１の端面１０ｅとの間の距離とが実質的に等しくなるように設けられていることが好ましい。もっとも、本発明においては、複数の第１−１の内部電極１１ａは、実質的に同じ長さに設けられていてもよい。
【００３１】
第１−３の内部電極１１ｃの長さは、第１−２の内部電極１１ｂより短いことが好ましい。第１−３の内部電極１１ｃは、第１−３の内部電極１１ｃと第３の稜線部１０３との間の距離と、第１−２の内部電極１１ｂと第１の端面１０ｅとの間の距離とが実質的に等しくなるように設けられていることが好ましい。もっとも、本発明においては、複数の第１−３の内部電極１１ｃは、実質的に同じ長さに設けられていてもよい。
【００３２】
第２−１の内部電極１２ａの長さは、第２−２の内部電極１２ｂより短いことが好ましい。第２−１の内部電極１２ａは、第２−１の内部電極１２ａと第２の稜線部１０２との間の距離と、第２−２の内部電極１２ｂと第２の端面１０ｆとの間の距離とが実質的に等しくなるように設けられていることが好ましい。もっとも、本発明においては、複数の第２−１の内部電極１２ａは、実質的に同じ長さに設けられていてもよい。
【００３３】
第２−３の内部電極１２ｃの長さは、第２−２の内部電極１２ｂより短いことが好ましい。第２−３の内部電極１２ｃは、第２−３の内部電極１２ｃと第４の稜線部１０４との間の距離と、第２−２の内部電極１２ｂと第２の端面１０ｆとの間の距離とが実質的に等しくなるように設けられていることが好ましい。もっとも、本発明においては、複数の第２−３の内部電極１２ｃは、実質的に同じ長さに設けられていてもよい。
【００３４】
また、積層型全固体電池１の容量を大きくする観点からは、厚み方向Ｔから視た際に、第１−２の内部電極１１ｂの第２の端面１０ｆ側の端部が第２の稜線部１０２及び第４の稜線部１０４と重なるように第１−２の内部電極１１ｂが設けられていることが好ましい。厚み方向Ｔから視た際に、第２−２の内部電極１２ｂの第１の端面１０ｅ側の端部が第１の稜線部１０１及び第３の稜線部１０３と重なるように、第２−２の内部電極１２ｂが設けられていることが好ましい。
【００３５】
なお、本実施形態では、第１の内部電極１１と第２の内部電極１２とが厚み方向Ｔにおいて交互に設けられている例について説明した。但し、本発明は、この構成に限定されない。本発明において、第１の内部電極と第２の内部電極との積層態様は、積層型全固体電池１の定格電圧や定格電流等に応じて適宜決定することができる。
【００３６】
本実施形態では、第１−１の内部電極１１ａ、第１−２の内部電極１１ｂ、第１−３の内部電極１１ｃ、第２−１の内部電極１２ａ、第２−２の内部電極１２ｂ及び第２−３の内部電極１２ｃがそれぞれ複数設けられている例について説明した。但し、本発明は、この構成に限定されない。本発明においては、例えば、第１−１の内部電極１１ａ、第１−２の内部電極１１ｂ及び少なくとも一つの第２の内部電極１２が内部電極として設けられていてもよい。第１−１の内部電極１１ａ、第１−２の内部電極１１ｂ、第１−３の内部電極１１ｃ、第２−１の内部電極１２ａ、第２−２の内部電極１２ｂ及び第２−３の内部電極１２ｃのそれぞれは、一つずつ設けられていてもよい。
【００３７】
本実施形態に係る全固体電池は、電池本体と、複数の第１の内部電極と、複数の第２の内部電極と、第１の外部電極と、第２の外部電極とを備えている。電池本体は、第１及び第２の主面と、第１及び第２の側面と、第１及び第２の端面と、第１の稜線部と、第２の稜線部と、第３の稜線部と、第４の稜線部とを有する。第１及び第２の主面は、長さ方向及び幅方向に沿って延びている。第１及び第２の側面は、長さ方向及び厚み方向に沿って延びている。第１及び第２の端面は、幅方向及び厚み方向に沿って延びている。第１の稜線部は、第１の主面と第１の端面とにより構成されている。第１の稜線部は、丸められた形状を有する。第２の稜線部は、第１の主面と第２の端面とにより構成されている。第２の稜線部は、丸められた形状を有する。第３の稜線部は、第２の主面と第１の端面とにより構成されている。第３の稜線部は、丸められた形状を有する。第４の稜線部は、第２の主面と第２の端面とにより構成されている。第４の稜線部は、丸められた形状を有する。電池本体は、固体電解質を含む。複数の第１の内部電極は、第１の端面側から第２の端面側に向かって延びている。複数の第２の内部電極は、第２の端面側から第１の端面側に向かって延びている。複数の第２の内部電極は、厚み方向において第１の内部電極と対向している。第１の外部電極は、第１の端面、第１の稜線部及び第３の稜線部を覆っている。第１の外部電極は、複数の第１の内部電極に接続されている。第２の外部電極は、第２の端面、第２の稜線部及び第４の稜線部を覆っている。第２の外部電極は、複数の第２の内部電極に接続されている。複数の第１の内部電極は、第１−１の内部電極と、第１−２の内部電極を含む。第１−１の内部電極は、第１の稜線部に露出している。第１−２の内部電極は、第１の端面に露出している。第１−１の内部電極のうち、最も第１の主面側に位置している内部電極の第２の端面側端部が、第１−２の内部電極の第２の端面側端部よりも第１の端面側に位置している。
【００３８】
本実施形態によれば、容量が定格容量よりも小さくなりにくい構造を有する積層型全固体電池を提供することができる。
【００３９】
本実施形態に係る全固体電池では、複数の第１−１の内部電極のそれぞれの第２の端面側端部が、第１−２の内部電極の第２の端面側端部よりも第１の端面側に位置していることが好ましい。
【００４０】
本実施形態に係る全固体電池では、複数の第１の内部電極が、第３の稜線部に露出している第１−３の内部電極をさらに含んでいてもよい。その場合、第１−３の内部電極のうち、最も第２の主面側に位置している内部電極の第２の端面側端部が、第１−２の内部電極の第２の端面側端部よりも第１の端面側に位置していることが好ましい。複数の第１−３の内部電極のそれぞれの第２の端面側端部が、第１−２の内部電極の第２の端面側端部よりも第１の端面側に位置していることがより好ましい。
【００４１】
本実施形態に係る全固体電池では、複数の第２の内部電極が、第２の稜線部に露出している第２−１の内部電極と、第２の端面に露出している第２−２の内部電極とを含んでいてもよい。その場合、第２−１の内部電極のうち、最も第１の主面側に位置している内部電極の第１の端面側端部が、第２−２の内部電極の第１の端面側端部よりも第２の端面側に位置していることが好ましい。
【００４２】
本実施形態に係る全固体電池では、複数の第２−１の内部電極のそれぞれの第１の端面側端部が、第２−２の内部電極の第１の端面側端部よりも第２の端面側に位置していることが好ましい。
【００４３】
本実施形態に係る全固体電池では、複数の第２の内部電極が、第４の稜線部に露出している第２−３の内部電極をさらに含んでいてもよい。その場合、第２−３の内部電極のうち、最も第２の主面側に位置している内部電極の第１の端面側端部が、第２−２の内部電極の第１の端面側端部よりも第２の端面側に位置していることが好ましい。複数の第２−３の内部電極のそれぞれの第１の端面側端部が、第２−２の内部電極の第１の端面側端部よりも第２の端面側に位置していることがより好ましい。
【図１】
2019093215.tif 000003
【図２】
2019093215.tif 000004
【国際調査報告】
2019093215.tif 000005
2019093215.tif 000006
2019093215.tif 000007